(57)【特許請求の範囲】
【請求項１】
複数の部屋に区画された中空状の枠部分を備え、
前記複数の部屋はそれぞれ、内部と外部との間の空気の通流を許容する１つ又は複数の空気流入出口と、内部と外部との間の水の通流を許容する１つ又は複数の水流入出口と、を有し、
前記複数の部屋には、前記水流入出口の開口面積の総計が互いに異なる２つの部屋が少なくとも含まれる、浮沈式生簀枠構造体。
【請求項２】
前記２つの部屋のうちの前記水流入出口の開口面積の総計が大きい方の部屋の前記水流入出口の数が、前記２つの部屋のうちの前記水流入出口の開口面積の総計が小さい方の前記水流入出口の数よりも多くなっている、請求項１に記載の浮沈式生簀枠構造体。
【請求項３】
前記開口面積の総計が大きい方の部屋に設けられる１つの前記水流入出口と、前記開口面積の総計が小さい方の部屋に設けられる１つの前記水流入出口とを比べたとき、両水流入出口は、同じ形状で且つ同じ開口面積である、請求項２に記載の浮沈式生簀枠構造体。
【請求項４】
前記２つの部屋のうちの前記水流入出口の開口面積の総計が大きい方の部屋の前記空気流入出口の開口面積の総計が、前記２つの部屋のうちの前記水流入出口の開口面積の総計が小さい方の部屋の前記空気流入出口の開口面積の総計よりも大きい、請求項１乃至３のいずれかに記載の浮沈式生簀枠構造体。
【請求項５】
前記２つの部屋のうちの前記水流入出口の開口面積の総計が大きい方の部屋の前記空気流入出口は、当該開口面積の総計が大きい方の部屋における、前記２つの部屋のうちの前記水流入出口の開口面積の総計が小さい方の部屋側の部分に設けられている、請求項１乃至４のいずれかに記載の浮沈式生簀枠構造体。
【請求項６】
前記枠部分が水面に平行な状態で浮いた際に、前記空気流入出口は上方に向けて開口し、前記水流入出口は下方に向けて開口する、請求項１乃至５のいずれかに記載の浮沈式生簀枠構造体。
【請求項７】
各前記部屋の前記空気流入出口が、共通の空気吐出ポンプに接続されている、請求項１乃至６のいずれかに記載の浮沈式生簀枠構造体。
【請求項８】
前記複数の部屋は、１つの小部屋と、前記小部屋の両端部間の長さよりも、その両端部間の長さが大きい２つの大部屋と、の３つの部屋でなり、
各前記大部屋の前記水流入出口の開口面積の総計がそれぞれ、前記小部屋の前記水流入出口の開口面積の総計よりも大きくなっている、請求項１乃至７のいずれかに記載の浮沈式生簀枠構造体。
【請求項９】
前記小部屋の前記水流入出口と、各前記大部屋の前記水流入出口とが、前記枠部分の中心を挟んで向き合う、請求項８に記載の浮沈式生簀枠構造体。
【請求項１０】
複数の部屋に区画された中空状の枠部分を備え、前記複数の部屋がそれぞれ、内部と外部との間の空気の通流を許容する１つ又は複数の空気流入出口と、内部と外部との間の水の通流を許容する１つ又は複数の水流入出口と、を有する浮沈式生簀枠構造体の操作方法であって、
前記複数の部屋のうちの少なくとも１つの部屋への水の流入量が、他の部屋への水の流入量よりも大きくなるように、前記枠部分の内部に水を流入させる、浮沈式生簀枠構造体の操作方法。
【請求項１１】
複数の部屋に区画された中空状の枠部分を備え、
前記複数の部屋はそれぞれ、内部と外部との間の空気の通流を許容する１つ又は複数の空気流入出口と、内部と外部との間の水の通流を許容する１つ又は複数の水流入出口と、を有し、
前記複数の部屋には、前記水流入出口の開口面積の総計が互いに異なる２つの部屋が少なくとも含まれる、浮沈式構造体。
【発明の詳細な説明】
【技術分野】
【０００１】
本発明は、水面に対して浮沈可能な浮沈式生簀枠構造体、浮沈式生簀枠構造体の操作方法及び浮沈式構造体に関する。
【背景技術】
【０００２】
水面に浮く状態で設置される生簀枠構造体と、生簀枠構造体に吊り下げられる網とを備え、網によって魚介類の生息空間を形成する生簀がある。
【０００３】
生簀は、魚介類の海面養殖に利用される場合、穏やかな海域に設置されることが望ましい。しかしながら、海面養殖に適した穏やかな海域には、多くの場合、既に生簀が設置されており、昨今、新たな生簀の設置が制限されつつある。そのため、波が高い等の厳しい環境の海域に生簀を設置して養殖を行う事例が増えつつある。
【０００４】
生簀には、上述の生簀枠構造体として、浮沈式の生簀枠構造体（以下、浮沈式生簀枠構造体）を用いるものがある。この浮沈式生簀枠構造体は、例えば波が高くなる状況下において水中に沈下されることで、波浪に起因する損傷等を回避し得る。そのため、浮沈式生簀枠構造体は、上述したような波が高い等の厳しい環境の海域に設置される生簀において有効に機能し、今後、とりわけ水産業において益々普及していくことが期待されている。
【０００５】
一般的な浮沈式生簀枠構造体は、中空状に形成され、内部で空気と水を置換させることで浮沈動作を実施する。詳しくは、このタイプの浮沈式生簀枠構造体は、内部に空気を充填させることで水面に浮き、内部の空気を水に置換することで水面に対する沈下動作を開始する。
【０００６】
浮沈式生簀枠構造体に関連する技術は従来から種々提案されており、例えば特許文献１には、浮沈式生簀枠構造体を構成し得る構造体に複数の部屋が形成され、複数の部屋に段階的に水又は空気を流入させる技術が開示されている。
【先行技術文献】
【特許文献】
【０００７】
【特許文献１】特許第５７５７４７７号公報
【発明の概要】
【発明が解決しようとする課題】
【０００８】
ところで、空気と水との置換に応じて浮沈動作を実施するタイプの浮沈式生簀枠構造体は、空気の流入出口と、水の流入出口とを備える。このタイプの浮沈式生簀枠構造体では、内部の空気を、空気の流入出口を介して外部に排出するとともに水の流入出口から内部に水を流入させることで、空気を水に置換して沈下する。この際、空気の流入出口が水中に先行して沈下するように浮沈式生簀枠構造体が傾斜すると、内部の空気を排出し難くなるか又は排出できなくなる状況が生じ、沈下動作がスムーズに行われない場合がある。
【０００９】
そのため、空気の流入出口が最後のほうで水中に沈むように浮沈式生簀枠構造体の姿勢を制御することが望ましい。しかしながら、このような浮沈式生簀枠構造体の姿勢制御に着目した技術は、本件出願人の調査では、これまでに提案されていない。
【００１０】
本発明は上記事情を考慮してなされたものであり、沈下時の姿勢を所望の傾斜状態に簡易に制御することができる浮沈式生簀枠構造体、浮沈式生簀枠構造体の操作方法及び浮沈式構造体を提供することを目的とする。
【課題を解決するための手段】
【００１１】
本発明に係る浮沈式生簀枠構造体は、複数の部屋に区画された中空状の枠部分を備え、前記複数の部屋はそれぞれ、内部と外部との間の空気の通流を許容する１つ又は複数の空気流入出口と、内部と外部との間の水の通流を許容する１つ又は複数の水流入出口と、を有し、前記複数の部屋には、前記水流入出口の開口面積の総計が互いに異なる２つの部屋が少なくとも含まれている。
【００１２】
本発明に係る浮沈式生簀枠構造体では、枠部分に設けられる複数の部屋に、水流入出口の開口面積の総計が互いに異なる２つの部屋が含まれる。水流入出口の開口面積の総計が互いに異なる２つの部屋では、水流入出口の開口面積の総計が大きい方の部屋に、水流入出口の開口面積の総計が小さい方の部屋よりも早く多くの水を流入させることが可能となる。そのため、２つの部屋にそれぞれ水を流入させた際、水流入出口の開口面積の総計が大きい方の部屋を、水流入出口の開口面積の総計が小さい方の部屋よりも先に水中に沈めることができる。ここで、このような沈下動作は、互いに異なる部屋の水流入出口の開口面積を異ならせるというシンプルな構造で実現される。そのため、この浮沈式生簀枠構造体では、先行させて沈下させたい部分に水流入出口の開口面積が大きい方の部屋を設定することで、浮沈式生簀枠構造体を所望の傾斜状態に簡易に制御しつつ、これを沈下させることが可能となる。
したがって、沈下時の姿勢を所望の傾斜状態に簡易に制御できる。
【００１３】
本発明に係る浮沈式生簀枠構造体においては、前記２つの部屋のうちの前記水流入出口の開口面積の総計が大きい方の部屋の前記水流入出口の数が、前記２つの部屋のうちの前記水流入出口の開口面積の総計が小さい方の前記水流入出口の数よりも多くてもよい。
【００１４】
この構成では、２つの部屋のうちの一方の部屋の水流入出口の開口面積の総計と、他方の部屋の水流入出口の開口面積の総計との差を大きくし易くなるため、素早く所望の傾斜状態に制御され得る浮沈式生簀枠構造体を設計し易くなる。すなわち、２つの部屋のうちの一方の部屋の水流入出口の数と、他方の部屋の水流入出口の数とが同じであると、水流入出口の形成スペースの制約等に起因して両者の開口面積の総計を大きく異ならせることが困難となる状況が生じ得る。これに対して、上記構成のように、一方の部屋の水流入出口の数を他方の部屋の水流入出口の数よりも多くすれば、一方の部屋の水流入出口の総計の開口面積と、他方の部屋の水流入出口の総計の開口面積との差を大きく確保し易くなる。
【００１５】
この場合、前記開口面積の総計が大きい方の部屋に設けられる１つの前記水流入出口と、前記開口面積の総計が小さい方の部屋に設けられる１つの前記水流入出口とを比べたとき、両水流入出口が、同じ形状で且つ同じ開口面積でもよい。
【００１６】
この構成では、２つの部屋のうちの一方の部屋の水流入出口と他方の部屋の水流入出口との加工手順を共通化し得るか、又は、一方の部屋及び他方の部屋を形成する部品を共通化し得るため、生産効率を向上できる。
【００１７】
また、本発明に係る浮沈式生簀枠構造体においては、前記２つの部屋のうちの前記水流入出口の開口面積の総計が大きい方の部屋の前記空気流入出口の開口面積の総計が、前記２つの部屋のうちの前記水流入出口の開口面積の総計が小さい方の部屋の前記空気流入出口の開口面積の総計よりも大きくてもよい。
【００１８】
この構成では、水流入出口の開口面積の総計が大きい方の部屋の空気を効率的に水と置換させることが可能となり、水流入出口の開口面積の総計が大きい方の部屋に、水流入出口の開口面積が小さい方の部屋よりも、確実に早く多くの水を流入させることが可能となる。
【００１９】
また、本発明に係る浮沈式生簀枠構造体においては、前記２つの部屋のうちの前記水流入出口の開口面積の総計が大きい方の部屋の前記空気流入出口は、当該開口面積の総計が大きい方の部屋における、前記２つの部屋のうちの前記水流入出口の開口面積の総計が小さい方の部屋側の部分に設けられてもよい。
【００２０】
この構成では、水流入出口の開口面積の総計が大きい方の部屋を先行させて沈下させる過程において、水流入出口の開口面積の総計が大きい方の部屋の空気流入出口の沈下が沈下過程中の後半に行われるようになるため、空気が排出され難くなる状況を効率的に回避できる。
【００２１】
また、本発明に係る浮沈式生簀枠構造体においては、前記枠部分が水面に平行な状態で浮いた際に、前記空気流入出口は上方に向けて開口し、前記水流入出口は下方に向けて開口してもよい。
【００２２】
この構成では、各部屋の空気流入出口が不所望に先行して沈下し空気が排出され難くなる状況を回避できるとともに、各部屋の内部に空気を流入させ易くなる。
【００２３】
また、本発明に係る浮沈式生簀枠構造体においては、各前記部屋の前記空気流入出口が、共通の空気吐出ポンプに接続されてもよい。
【００２４】
この構成では、共通の空気吐出ポンプによって各部屋の内部に空気を流入させて水を排出することで、全体的な装置構成を複雑にすることなく浮沈式生簀枠構造体を浮上させることができる。
【００２５】
また、本発明に係る浮沈式生簀枠構造体においては、前記複数の部屋は、１つの小部屋と、前記小部屋の両端部間の長さよりも、その両端部間の長さが大きい２つの大部屋と、の３つの部屋でなり、各前記大部屋の前記水流入出口の開口面積の総計がそれぞれ、前記小部屋の前記水流入出口の開口面積の総計よりも大きくなっていてもよい。
【００２６】
この構成では、部屋数を比較的少なく抑えた簡易な構成で、浮沈式生簀枠構造体の沈下時の姿勢を所望の傾斜状態に制御し易くなる。
【００２７】
この場合、前記小部屋の前記水流入出口と、各前記大部屋の前記水流入出口とが、前記枠部分の中心を挟んで向き合ってもよい。
【００２８】
この構成では、２つの大部屋の水流入出口が設けられた側をまず沈下させ、最後に小部屋の水流入出口が設けられた側を沈下させるように浮沈式生簀枠構造体の姿勢を制御できるようになり、浮沈式生簀枠構造体の沈下時の姿勢を所望の傾斜状態に制御し易くなる。
【００２９】
また、本発明に係る浮沈式生簀枠構造体の操作方法は、複数の部屋に区画された中空状の枠部分を備え、前記複数の部屋がそれぞれ、内部と外部との間の空気の通流を許容する１つ又は複数の空気流入出口と、内部と外部との間の水の通流を許容する１つ又は複数の水流入出口と、を有する浮沈式生簀枠構造体の操作方法であって、前記複数の部屋のうちの少なくとも１つの部屋への水の流入量が、他の部屋への水の流入量よりも大きくなるように、前記枠部分の内部に水を流入させる、浮沈式生簀枠構造体の操作方法である。
【００３０】
本発明に係る浮沈式生簀枠構造体の操作方法では、水の流入量が大きくなる部屋を、これによりも水の流入量が小さくなる部屋よりも先に水中に沈めることができる。ここで、このような沈下動作は、互いに異なる部屋の水の流入量を異ならせるというシンプルな手法で実現される。そのため、浮沈式生簀枠構造体において先行させて沈下させたい部分に水の流入量が大きい方の部屋を設定することで、浮沈式生簀枠構造体を所望の傾斜状態に簡易に制御しつつ、これを沈下させることが可能となる。
したがって、浮沈式生簀枠構造体の沈下時の姿勢を所望の傾斜状態に簡易に制御できる。
【００３１】
また、本発明に係る浮沈式構造体は、複数の部屋に区画された中空状の枠部分を備え、前記複数の部屋はそれぞれ、内部と外部との間の空気の通流を許容する１つ又は複数の空気流入出口と、内部と外部との間の水の通流を許容する１つ又は複数の水流入出口と、を有し、前記複数の部屋には、前記水流入出口の開口面積の総計が互いに異なる２つの部屋が少なくとも含まれている。
【発明の効果】
【００３２】
本発明によれば、浮沈式生簀枠構造体の沈下時の姿勢を所望の傾斜状態に簡易に制御できる。
【図面の簡単な説明】
【００３３】
【図１】本発明の一実施の形態に係る浮沈式生簀枠構造体を備える生簀の斜視図である。
【図２】図１に示した浮沈式生簀枠構造体の上面図である。
【図３】図２のＩＩＩ―ＩＩＩ線に沿う浮沈式生簀枠構造体の断面図である。
【図４】図２のＩＶ−ＩＶ線に沿う浮沈式生簀枠構造体の断面図である。
【図５】図１に示した浮沈式生簀枠構造体の沈下動作の一例を説明する図である。
【発明を実施するための形態】
【００３４】
以下、本発明の一実施の形態を詳細に説明する。
【００３５】
図１は、本発明の一実施の形態に係る浮沈式生簀枠構造体１０を備える生簀１の斜視図であり、一例として生簀１を海域に設置した状態を示している。図１に示す生簀１は、水面に浮く状態で設置された浮沈式生簀枠構造体１０に網１００を吊り下げ、網１００によって魚介類の生息空間Ｓを形成している。
【００３６】
図２は、浮沈式生簀枠構造体１０の上面図であり、図１及び図２に示すように、浮沈式生簀枠構造体１０は、中空状の内側枠部分２０と、内側枠部分２０を取り囲むように内側枠部分２０の外周に配置された中空状の外側枠部分３０と、を備えている。
【００３７】
内側枠部分２０及び外側枠部分３０は、これらに跨がるように設けられた複数の連結部材４０によって互いに結合されている。
【００３８】
内側枠部分２０は、その内部に設けられた複数の隔壁５０によって複数の部屋に区画される。具体的に本例では、内側枠部分２０が、内側小部屋２１、内側第１大部屋２２及び内側第２大部屋２３の３つの部屋に区画されている。
【００３９】
内側枠部分２０の形状は一例として円環状であり、内側第１大部屋２２及び内側第２大部屋２３それぞれの周方向端部間の長さは、内側小部屋２１の周方向両端部間の長さよりも大きい。また、内側第１大部屋２２及び内側第２大部屋２３のサイズは互いに同一になっている。
【００４０】
外側枠部分３０も、その内部に設けられた複数の隔壁５０によって複数の部屋に区画されている。具体的に本例では、外側枠部分３０が、外側小部屋３１、外側第１大部屋３２及び外側第２大部屋３３の３つの部屋に区画されている。
【００４１】
外側枠部分３０の形状も一例として円環状であり、外側第１大部屋３２及び外側第２大部屋３３それぞれの周方向端部間の長さは、外側小部屋３１の周方向両端部間の長さよりも大きい。また、外側第１大部屋３２及び外側第２大部屋３３のサイズは互いに同一になっている。
【００４２】
外側小部屋３１は、内側小部屋２１と径方向で向き合うように配置され、外側小部屋３１の中心角は、内側小部屋２１の中心角と同一になっている。外側第１大部屋３２は、内側第１大部屋２２と径方向で向き合うように配置され、外側第１大部屋３２の中心角は、内側第１大部屋２２の中心角と同一になっている。外側第２大部屋３３は、内側第２大部屋２３と径方向で向き合うように配置され、外側第２大部屋３３の中心角は、内側第２大部屋２３の中心角と同一になっている。
【００４３】
本実施の形態における浮沈式生簀枠構造体１０は、上述したように内側枠部分２０と外側枠部分３０とを備えるが、本発明はこの態様に限られるものではなく、浮沈式生簀枠構造体１０は、例えば一つの枠部分で構成されてもよいし、３つ以上の枠部分で構成されてもよい。
【００４４】
また、内側枠部分２０及び外側枠部分３０はそれぞれ円環状であるが、このような形状も特に限られるものではなく、例えば矩形枠状等でもよい。また、内側枠部分２０及び外側枠部分３０はそれぞれ、３つの部屋に区画されるが、部屋の数は特に限られるものではなく、例えば２つの部屋に区切られてもよいし、４つの部屋に区切られてもよい。
【００４５】
図２を参照し、内側枠部分２０の内側小部屋２１、内側第１大部屋２２及び内側第２大部屋２３はそれぞれ、内部と外部との間の空気の通流を許容する空気流入出口２１ａ，２２ａ，２３ａと、内部と外部との間の水の通流を許容する水流入出口２１ｗ，２２ｗ，２３ｗと、を有している。
【００４６】
図３は、図２のＩＩＩ―ＩＩＩ線に沿う浮沈式生簀枠構造体１０の断面図であって、詳しくは内側枠部分２０の断面図である。また、図４は、図２のＩＶ−ＩＶ線に沿う浮沈式生簀枠構造体１０の断面図であり、詳しくは内側枠部分２０の断面図である。
【００４７】
図３及び図４に示すように、内側枠部分２０が水面に平行な状態で浮いた際、内側小部屋２１の空気流入出口２１ａ、内側第１大部屋２２の空気流入出口２２ａ及び内側第２大部屋２３の空気流入出口２３ａはそれぞれ、上方に向けて開口する。また、内側枠部分２０が水面に平行な状態で浮いた際、内側小部屋２１の水流入出口２１ｗ、内側第１大部屋２２の水流入出口２２ｗ及び内側第２大部屋２３の水流入出口２３ｗはそれぞれ、下方に向けて開口する。
【００４８】
本実施の形態では、内側小部屋２１が、２つの空気流入出口２１ａを有し、内側第１大部屋２２が、１つの空気流入出口２２ａを有し、内側第２大部屋２３が、１つの空気流入出口２３ａを有する。また、内側小部屋２１は、１つの水流入出口２１ｗを有し、内側第１大部屋２２は、２つの水流入出口２２ｗを有し、内側第２大部屋２３は、２つの水流入出口２３ｗを有する。
【００４９】
ここで、内側小部屋２１に設けられる１つの水流入出口２１ｗと、内側第１大部屋２２に設けられる１つの水流入出口２２ｗと、内側第２大部屋２３に設けられる１つの水流入出口２３ｗとを見たとき（比べたとき）、これら水流入出口２１ｗ、水流入出口２２ｗ及び水流入出口２３ｗは、同じ形状で且つ同じ開口面積になっている。
【００５０】
したがって、本実施の形態では、内側第１大部屋２２に設けられる水流入出口２２ｗの開口面積の総計が、内側小部屋２１に設けられる水流入出口２１ｗの開口面積の総計よりも大きく、且つ、内側第２大部屋２３に設けられる水流入出口２３ｗの開口面積の総計が、内側小部屋２１に設けられる水流入出口２１ｗの開口面積の総計よりも大きくなっている。すなわち、浮沈式生簀枠構造体１０では、内側枠部分２０に設けられる複数の部屋に、水流入出口の開口面積の総計が互いに異なる２つの部屋（内側小部屋２１と内側第１大部屋２２との組、及び、内側小部屋２１と内側第２大部屋２３との組）が少なくとも含まれていることになる。
【００５１】
各部屋２１〜２３は、内部の空気を空気流入出口２１ａ，２２ａ，２３ａから外部に流出させるとともに、水流入出口２１ｗ，２２ｗ，２３ｗから水を内部に流入させることで、水面に浮いた状態から水面に対し沈下することができる。一方で、外部の空気を空気流入出口２１ａ，２２ａ，２３ａから内部に流入させるとともに、水流入出口２１ｗ，２２ｗ，２３ｗから水を外部に排出することで、水面に対し沈下した状態から浮上することができる。
【００５２】
内側第１大部屋２２に設けられる水流入出口２２ｗの開口面積の総計が、内側小部屋２１に設けられる水流入出口２１ｗの開口面積の総計よりも大きい場合、内側第１大部屋２２に、内側小部屋２１よりも早く多くの水を流入させることが可能となる。これにより、浮沈式生簀枠構造体１０では、内側第１大部屋２２を、内側小部屋２１よりも先に沈めることができる。内側小部屋２１と内側第２大部屋２３との関係においても同様のことが当てはまる。
【００５３】
また、本実施の形態では、内側第１大部屋２２に設けられる水流入出口２２ｗの開口面積の総計と、内側第２大部屋２３に設けられる水流入出口２３ｗの開口面積の総計とが同じである。また、内側第１大部屋２２のサイズと内側第２大部屋２３のサイズとが互いに同一である。この場合、内側第１大部屋２２と内側第２大部屋２３とが沈下する速度のばらつきが抑えられることで、内側第１大部屋２２と内側第２大部屋２３との沈下タイミングを揃えることができ、沈下時の浮沈式生簀枠構造体１０の姿勢を所望の状態に安定的に制御することが可能となる。
【００５４】
また、本実施の形態では、上述したように内側小部屋２１が、２つの空気流入出口２１ａを有し、内側第１大部屋２２が、１つの空気流入出口２２ａを有し、内側第２大部屋２３が、１つの空気流入出口２３ａを有する。ただし、内側第１大部屋２２に設けられる空気流入出口２２ａの開口面積の総計は、内側小部屋２１に設けられる空気流入出口２１ａの総計よりも大きく、内側第２大部屋２３に設けられる空気流入出口２３ａの開口面積の総計は、内側小部屋２１に設けられる空気流入出口２１ａの総計よりも大きい。この場合、内側第１大部屋２２及び内側第２大部屋２３は、内側小部屋２１よりも効率的に空気を流出させることが可能となるため、内側第１大部屋２２及び内側第２大部屋２３を確実に内側小部屋２１よりも先に沈下させることが可能となる。
【００５５】
以下、空気流入出口２１ａ，２２ａ，２３ａ及び水流入出口２１ｗ，２２ｗ，２３ｗの構成について詳しく説明する。
【００５６】
図２に示すように、内側小部屋２１の２つの空気流入出口２１ａのうちの一方は、内側小部屋２１の周方向中央に対して周方向一方側（図中、反時計回り側）に離れて設けられ、２つの空気流入出口２１ａのうちの他方は、内側小部屋２１の周方向中央に対して周方向他方側（図中、時計回り側）に離れて設けられている。詳しくは、２つの空気流入出口２１ａのうちの一方は、内側小部屋２１と内側第１大部屋２２とを仕切る隔壁５０から、内側小部屋２１の周方向全長の約１／４だけ周方向一方側に離れた位置に設けられ、他方は、内側小部屋２１と内側第２大部屋２３とを仕切る隔壁５０から、内側小部屋２１の周方向長さの約１／４だけ周方向他方側に離れた位置に設けられている。ただし、空気流入出口２１ａの位置は、本実施の形態の態様に限られるものではない。
【００５７】
２つの空気流入出口２１ａはそれぞれ、図１及び図３に示すように空気配管６０を介して空気吐出ポンプ８０（図１参照）に接続され、空気吐出ポンプ８０の駆動に応じて、つまり空気吐出ポンプ８０からの空気の吐出に応じて、空気を内側小部屋２１に流入させる。ここで、空気配管６０と空気吐出ポンプ８０とは開閉バルブ６５を介して接続されている。内側小部屋２１に空気を流入させる際には、開閉バルブ６５が開かれる。また、内側小部屋２１に空気を充填することにより、内側小部屋２１が水面に浮いた状態を維持する場合には、開閉バルブ６５が閉じられる。そして、水面に浮いた状態の内側小部屋２１を沈下させる際には、開閉バルブ６５が開かれる。このとき、内側小部屋２１の空気は、空気流入出口２１ａから空気配管６０及び開閉バルブ６５を介して外部に排出される。これに伴い、水流入出口２１ｗから内側小部屋２１に水が流入することで、沈下が行われる。空気配管６０は、例えば直径１５ｍｍの流路断面積を有してもよいが、このようなサイズは特に限られるものではない。
【００５８】
また、内側小部屋２１の水流入出口２１ｗは、図２に示すように内側小部屋２１の周方向中央又は中央近傍に設けられているが、その位置は特に限られるものではない。図３に示すように、水流入出口２１ｗには流水ダクト２１ｄが垂れ下がるように設けられており、この流水ダクト２１ｄは水を通流させる。このような流水ダクト２１ｄが設けられることで、浮沈式生簀枠構造体１０の沈下時の傾斜によって水流入出口２１ｗが水面から離れてしまった場合であっても、流水ダクト２１ｄの開口端が水中に位置し得ることで、水をスムーズに流入させ得る。
【００５９】
内側第１大部屋２２の空気流入出口２２ａは、内側第１大部屋２２における内側小部屋２１側の部分に設けられており、詳しくは、内側第１大部屋２２の周方向中央よりも内側小部屋２１側であって、内側小部屋２１と内側第１大部屋２２とを仕切る隔壁５０に近接する位置に設けられている。より詳しくは、空気流入出口２２ａは、内側小部屋２１と内側第１大部屋２２とを仕切る隔壁５０から、内側第１大部屋２２の周方向全長の１／１０以内の位置に設けられている。
【００６０】
そして、空気流入出口２２ａも、図３に示すように空気配管６０を介して空気吐出ポンプ８０に接続される。ここで、空気流入出口２２ａに接続される空気配管６０と空気吐出ポンプ８０との間にも開閉バルブ６５が介在する。内側第１大部屋２２を浮沈させる際の開閉バルブ６５の動作は、上述の内側小部屋２１の場合と同様である。空気流入出口２２ａに接続される空気配管６０は、例えば直径４０ｍｍの流路断面積を有してもよいが、このようなサイズは特に限られるものではない。
【００６１】
また、内側第１大部屋２２の２つの水流入出口２２ｗは、内側第１大部屋２２と内側第２大部屋２３とを仕切る隔壁５０に近接する位置に設けられている。詳しくは、内側第１大部屋２２の２つの水流入出口２２ｗは、内側小部屋２１の水流入出口２１ｗと内側枠部分２０の中心を挟んで向き合うように設けられている。ここで、本実施の形態においては、内側枠部分２０の中心を挟んで向き合うという状態を、以下のように定義する。
内側枠部分２０に設けられる構成Ａ（水流入出口２１ｗ等）から内側枠部分２０の中心を通って内側枠部分２０に交差する径方向の直線を引き、この直線を内側枠部分２０の中心を軸に周方向に±３０度回転させた範囲に、構成Ｂ（水流入出口２２ｗ等）が位置する状態。この状態を、構成Ａと構成Ｂとが内側枠部分２０の中心を挟んで向き合うという状態と定義する。
【００６２】
また、図３に示すように、内側第１大部屋２２の２つの水流入出口２２ｗにもそれぞれ、流水ダクト２２ｄが垂れ下がるように設けられている。
【００６３】
内側第２大部屋２３の空気流入出口２３ａ及び水流入出口２３ｗはそれぞれ、内側第１大部屋２２と内側第２大部屋２３とを仕切る隔壁５０と内側枠部分２０の中心とを通る直線に関して、内側第１大部屋２２の空気流入出口２２ａ及び水流入出口２２ｗと線対称となるように位置する以外は、内側第１大部屋２２の空気流入出口２２ａ及び水流入出口２２ｗと同様の構成である。そのため、内側第２大部屋２３の空気流入出口２３ａ及び水流入出口２３ｗのこれ以上の詳しい説明は省略する。
【００６４】
一方で、図２に示すように、外側枠部分３０の外側小部屋３１、外側第１大部屋３２及び外側第２大部屋３３もそれぞれ、内部と外部との間の空気の通流を許容する空気流入出口３１ａ，３２ａ，３３ａと、内部と外部との間の水の通流を許容する水流入出口３１ｗ，３２ｗ，３３ｗと、を有している。
【００６５】
外側枠部分３０が水面に平行な状態で浮いた際、外側小部屋３１の空気流入出口３１ａ、外側第１大部屋３２の空気流入出口３２ａ及び外側第２大部屋３３の空気流入出口３３ａもそれぞれ、上方に向けて開口する。また、外側枠部分３０が水面に平行な状態で浮いた際、外側小部屋３１の水流入出口３１ｗ、外側第１大部屋３２の水流入出口３２ｗ及び外側第２大部屋３３の水流入出口３３ｗもそれぞれ、下方に向けて開口する。
【００６６】
内側小部屋２１の場合と同様であるが、本実施の形態では、外側小部屋３１が、２つの空気流入出口３１ａを有し、外側第１大部屋３２が、１つの空気流入出口３２ａを有し、外側第２大部屋３３が、１つの空気流入出口３３ａを有する。また、外側小部屋３１は、１つの水流入出口３１ｗを有し、外側第１大部屋３２は、２つの水流入出口３２ｗを有し、外側第２大部屋３３は、２つの水流入出口３３ｗを有する。
【００６７】
そして、外側小部屋３１に設けられる１つの水流入出口３１ｗと、外側第１大部屋３２に設けられる１つの水流入出口３２ｗと、外側第２大部屋３３に設けられる１つの水流入出口３３ｗとを見たとき、これら水流入出口３１ｗ、水流入出口３２ｗ及び水流入出口３３ｗは、同じ形状で且つ同じ開口面積になっている。
【００６８】
したがって、外側第１大部屋３２に設けられる水流入出口３２ｗの開口面積の総計は、外側小部屋３１に設けられる水流入出口３１ｗの開口面積の総計よりも大きく、且つ、外側第２大部屋３３に設けられる水流入出口３３ｗの開口面積の総計は、外側小部屋３１に設けられる水流入出口３１ｗの開口面積の総計よりも大きくなる。これにより、浮沈式生簀枠構造体１０では、外側第１大部屋３２及び外側第２大部屋３３についても、外側小部屋３１よりも先に沈めることができる。
【００６９】
また、外側枠部分３０においても、外側第１大部屋３２に設けられる空気流入出口３２ａの開口面積の総計は、外側小部屋３１に設けられる空気流入出口３１ａの総計よりも大きく、外側第２大部屋３３に設けられる空気流入出口３３ａの開口面積の総計は、外側小部屋３１に設けられる空気流入出口３１ａの総計よりも大きい。これにより、外側第１大部屋３２及び外側第２大部屋３３を、確実に外側小部屋３１よりも先に沈めることが可能となっている。
【００７０】
外側枠部分３０における空気流入出口３１ａ，３２ａ，３３ａ及び水流入出口３１ｗ，３２ｗ，３３ｗの配置関係やサイズ、空気吐出ポンプ８０及び開閉バルブ６５との接続態様は、内側枠部分２０側の空気流入出口２１ａ，２２ａ，２３ａ及び水流入出口２１ｗ，２２ｗ，２３ｗと同様であるため、これ以上の詳しい説明は省略する。
【００７１】
なお、図１を参照し、本実施の形態における外側枠部分３０には、外側第１大部屋３２及び外側第２大部屋３３に跨がるように配置された鎖９０が取り付けられている。鎖９０は、外側第１大部屋３２と外側第２大部屋３３との境界から±９０度の範囲に円弧状に延びている。鎖９０は、外側枠部分３０に例えば網等で括り付けられることで外側枠部分３０に取り付けられる。このような鎖９０は、浮沈式生簀枠構造体１０を外側第１大部屋３２及び外側第２大部屋３３側（内側第１大部屋２２及び内側第２大部屋２３側）から沈下させる際の沈下力を補助する。特に、鎖９０は設置される海域の潮流に合わせて設けられており、潮流のある状況において、浮沈式生簀枠構造体１０の姿勢を適正に制御するために設けられている。ただし、このような鎖９０は設けられてなくてもよいし、その取り付け範囲等も特に限られるものではない。
【００７２】
空気吐出ポンプ８０は、内側枠部分２０における空気流入出口２１ａ，２２ａ，２３ａ及び外側枠部分３０における空気流入出口３１ａ，３２ａ，３３ａのそれぞれに各別の空気配管６０を介して接続されている。本実施の形態における空気吐出ポンプ８０は、内側枠部分２０における空気流入出口２１ａ，２２ａ，２３ａ及び外側枠部分３０における空気流入出口３１ａ，３２ａ，３３ａのそれぞれに空気を同時に供給することが可能となっている。なお、本実施の形態では、一例として、空気流入出口２１ａ，２２ａ，２３ａ及び外側枠部分３０における空気流入出口３１ａ，３２ａ，３３ａのそれぞれに接続された空気配管６０が空気吐出ポンプ８０側で合流して、合流部分が空気吐出ポンプ８０に接続され、合流部分に開閉バルブ６５が設けられている。ただし、この態様は一例であり、開閉バルブ６５の構成はこれに限られるものではない。例えば、開閉バルブ６５は、各空気配管６０上に設けられてもよい。
【００７３】
また、例えば内側枠部分２０における内側小部屋２１の空気流入出口２１ａと、内側第１大部屋２２の空気流入出口２２ａ及び内側第２大部屋２３の空気流入出口２３ａとに別々の空気吐出ポンプを設けてもよいが、本実施の形態のように共通の空気吐出ポンプを使用した場合には、全体的な装置構成を簡素化できるメリットがある。
【００７４】
次に、浮沈式生簀枠構造体１０の沈下動作の一例について図５を参照しつつ説明する。図５（Ａ）〜（Ｄ）には、浮沈式生簀枠構造体１０が段階的に沈下する様子が概略的に示されている。図５（Ａ）〜（Ｄ）においては、説明の便宜のために、外側枠部分３０の図示を省略するが、外側枠部分３０及びその各部の符号については、内側枠部分２０の対応箇所に括弧書きで示している。
【００７５】
図５（Ａ）には、内側枠部分２０の各部屋２１〜２３及び外側枠部分３０の各部屋３１〜３３に空気が充填されることで、水面に浮いた状態とされた浮沈式生簀枠構造体１０が示されている。この状態から浮沈式生簀枠構造体１０を沈下させる際、この例では、まず、閉じられた状態の開閉バルブ６５が開かれる。これにより、内側枠部分２０の各部屋２１〜２３及び外側枠部分３０の各部屋３１〜３３のそれぞれの内部の空気を空気流入出口（２１ａ〜２３ａ、３１ａ〜３３ａ）から外部に同時に流出させる。
【００７６】
上述のように各部屋から空気を流出させると、各部屋には対応する水流入出口（２１ｗ〜２３ｗ、３１ｗ〜３３ｗ）から水が自然に流入し、各部屋の内部で空気と水が置換される。これにより、各部屋の沈下が進行する。
【００７７】
ここで、本実施の形態では、内側第１大部屋２２に設けられる水流入出口２２ｗの開口面積の総計及び内側第２大部屋２３に設けられる水流入出口２３ｗの開口面積の総計がそれぞれ、内側小部屋２１に設けられる水流入出口２１ｗの開口面積の総計よりも大きい。また、外側第１大部屋３２に設けられる空気流入出口３２ａの開口面積の総計及び外側第２大部屋３３に設けられる空気流入出口３３ａの開口面積の総計がそれぞれ、外側小部屋３１に設けられる空気流入出口３１ａの総計よりも大きい。
【００７８】
これにより、内側第１大部屋２２及び内側第２大部屋２３に、内側小部屋２１よりも早く多くの水が流入し、外側第１大部屋３２及び外側第２大部屋３３に、外側小部屋３１よりも早く多くの水が流入する。言い換えると、内側第１大部屋２２及び内側第２大部屋２３への水の流入量が、内側小部屋２１への水の流入量よりも大きくなるように、内側枠部分２０の内部に水が流入する。また、外側第１大部屋３２及び外側第２大部屋３３への水の流入量が、外側小部屋３１への水の流入量よりも大きくなるように、外側枠部分３０の内部に水が流入する。その結果、図５（Ｂ）及び図５（Ｃ）に示すように、浮沈式生簀枠構造体１０の内側第１大部屋２２及び内側第２大部屋２３と、外側第１大部屋３２及び外側第２大部屋３３とが、内側小部屋２１と外側小部屋３１よりも先に沈下する。ここで、本実施の形態では、沈下の際にポンプ動力が必要でないため、構成が簡素であり、経済的なメリットも得られる。
【００７９】
そして、内側枠部分２０の各部屋２１〜２３及び外側枠部分３０の各部屋３１〜３３のそれぞれに水が充填されると、図５（Ｄ）に示すように、浮沈式生簀枠構造体１０は水面に概ね平行な状態で水中に沈下された状態となる。ここで、開閉バルブ６５は閉じられる。開閉バルブ６５の開閉は、手動で行われてもよいし、制御装置で制御されてもよい。
【００８０】
以上のような浮沈式生簀枠構造体１０の動作の際、浮沈式生簀枠構造体１０は、内側第１大部屋２２及び内側第２大部屋２３側（外側第１大部屋３２及び外側第２大部屋３３側）が、内側小部屋２１側（外側小部屋３１側）よりも下方に位置するように傾斜しながら、沈下していく。ここで、本実施の形態では、内側枠部分２０における空気流入出口２１ａ，２２ａ，２３ａ及び外側枠部分３０における空気流入出口３１ａ，３２ａ，３３ａの沈下は、これらの配置位置の工夫によって、浮沈式生簀枠構造体１０の全体の沈下過程において後半に行われる（図５（Ｃ）参照）。これにより、空気流入出口が水中に先行して沈下し、空気流入出口から外部に空気を排出し難くなるか又は排出できなくなる状況が生じることを回避でき、その結果、浮沈式生簀枠構造体１０をスムーズに沈下させることができる。
【００８１】
一方で、図５（Ｄ）の状態から浮沈式生簀枠構造体１０を浮上させる際には、空気吐出ポンプ８０を駆動することで、内側枠部分２０の各部屋２１〜２３及び外側枠部分３０の各部屋３１〜３３のそれぞれの内部に空気を流入させる。これにより、各部屋の内部から水が外部に流出し、各部屋の内部で水と空気が置換されることで、各部屋が浮上する。
【００８２】
以上に説明したように本実施の形態に係る浮沈式生簀枠構造体１０では、枠部分（２０、３０）に設けられる複数の部屋（２１〜２３，３１〜３３）に、水流入出口の開口面積の総計が互いに異なる２つの部屋（例えば内側小部屋２１と内側第１大部屋２２との組、及び、内側小部屋２１と内側第２大部屋２３との組等）が含まれる。水流入出口の開口面積の総計が互いに異なる２つの部屋では、上述したように水流入出口の開口面積の総計が大きい方の部屋に、水流入出口の開口面積の総計が小さい方の部屋よりも早く多くの水を流入させることが可能となる。そのため、２つの部屋にそれぞれ水を流入させた際、水流入出口の開口面積の総計が大きい方の部屋を、水流入出口の開口面積の総計が小さい方の部屋よりも先に水中に沈めることができる。ここで、このような沈下動作は、互いに異なる部屋の水流入出口の開口面積を異ならせるというシンプルな構造で実現される。そのため、この浮沈式生簀枠構造体１０では、先行させて沈下させたい部分に、水流入出口の開口面積が大きい方の部屋を設定（レイアウト）することで、浮沈式生簀枠構造体１０を所望の傾斜状態に簡易に制御しつつ、これを沈下させることが可能となる。
【００８３】
これにより、本実施の形態に係る浮沈式生簀枠構造体１０によれば、沈下時の姿勢を所望の傾斜状態に簡易に制御できる。具体的には、浮沈式生簀枠構造体１０の沈下時の姿勢を、内側枠部分２０における空気流入出口２１ａ，２２ａ，２３ａ及び外側枠部分３０における空気流入出口３１ａ，３２ａ，３３ａの沈下が、浮沈式生簀枠構造体１０の全体の沈下過程において極力後半に行われるような傾斜状態に簡易に制御でき、これにより、浮沈式生簀枠構造体１０を簡易的にスムーズに沈下させることができる。
【００８４】
以上に説明した実施の形態は、本発明の一例を説明するものであり、本発明は、上記実施の形態の構成に限定されるものではなく、上記実施の形態には種々の変更を加えることができる。例えば、上記実施の形態では、大部屋（２２，２３，３２，３３）が、小部屋（２１，３１）よりも先行して沈下する構成を説明したが、小部屋（２１，３１）の水流入出口の開口面積の総計を、大部屋（２２，２３，３２，３３）の水流入出口の開口面積の総計よりも大きくして、小部屋（２１，３１）を大部屋（２２，２３，３２，３３）よりも先に沈下させてもよい。また、上記実施の形態では、空気吐出ポンプ８０が用いられたが、空気吸排ポンプを用いて、沈下の際に、枠部分２０、３０の内部の空気を吸入してもよい。
【符号の説明】
【００８５】
１…生簀
１０…浮沈式生簀枠構造体
２０…内側枠部分
２１…内側小部屋
２１ａ…空気流入出口
２１ｗ…水流入出口
２１ｄ…流水ダクト
２２…内側第１大部屋
２２ａ…空気流入出口
２２ｗ…水流入出口
２２ｄ…流水ダクト
２３…内側第２大部屋
２３ａ…空気流入出口
２３ｗ…水流入出口
２３ｄ…流水ダクト
３０…外側枠部分
３１…外側小部屋
３１ａ…空気流入出口
３１ｗ…水流入出口
３１ｄ…流水ダクト
３２…外側第１大部屋
３２ａ…空気流入出口
３２ｗ…水流入出口
３２ｄ…流水ダクト
３３…外側第２大部屋
３３ａ…空気流入出口
３３ｗ…水流入出口
３３ｄ…流水ダクト
４０…連結部材
５０…隔壁
６０…空気配管
８０…空気吐出ポンプ
１００…網
Ｓ…生息空間
【要約】      （修正有）【課題】沈下時の姿勢を所望の傾斜状態に簡易に制御することができる浮沈式生簀枠構造体を提供する。【解決手段】浮沈式生簀枠構造体１０は、複数の部屋に区画された中空状の枠部分２０，３０を備える。複数の部屋２１、２２、２３，３１，３２、３３はそれぞれ、内部と外部との間の空気の通流を許容する１つ又は複数の空気流入出口２１ａ、２２ａ、２３ａ，３１ａ、３２ａ、３３ａと、内部と外部との間の水の通流を許容する１つ又は複数の水流入出口２１ｗ、２３ｗ，３１ｗ、３２ｗ、３３ｗと、を有する。そして、複数の部屋２１、２２、２３，３１、３２、３３には、水流入出口の開口面積の総計が互いに異なる２つの部屋（２１と２２等）が少なくとも含まれる。【選択図】図２【図１】
0006946533.tif 000002
【図２】
0006946533.tif 000003
【図３】
0006946533.tif 000004
【図４】
0006946533.tif 000005
【図５】
0006946533.tif 000006